(57)【要約】【課題】簡単な構成で、目元の両端部までくっきりとカールを与えることができる、使い勝手のよいアイラッシュカーラーを提供する。【解決手段】左右一対の支柱１０、１１と、この左右の支柱の上部にまたがって固定されるガイドフレーム１２と、その下側に、支柱１０、１１に沿って昇降自在に取り付けられる可動フレーム１３と、操作のための第１のハンドル１５、第２のハンドル、レバー２０とを備え、上記左右の支柱１０、１１の間隔Ｗが、１５〜２５ｍｍに設定されているとともに、上記ガイドフレームおよび可動フレームが平面視円弧状に形成され、その円弧状部分の曲率半径Ｒ1 、Ｒ2 が、ともに１０〜２０ｍｍに設定されている。【選択図】図１
2008206827.tif 000002
【特許請求の範囲】
【請求項１】
左右一対の支柱と、この左右の支柱の上部にまたがって固定されるガイドフレームと、上記支柱の、ガイドフレーム固定部より下側に、支柱に沿って昇降自在に取り付けられる可動フレームと、上記可動フレームを昇降させるための操作手段とを備え、上記ガイドフレームおよび可動フレームは、ともに平面視が円弧状となるよう湾曲されており、上記ガイドフレームと可動フレームとの間にまつげを挟んだ状態で可動フレームを上昇させガイドフレーム側に押し当てることにより、まつげにカールを与えるよう構成されたアイラッシュカーラーにおいて、上記左右の支柱の、ガイドフレームおよび可動フレームが取り付けられた部分の間隔Ｗが、１５〜２５ｍｍに設定されているとともに、上記ガイドフレームおよび可動フレームの平面視円弧状部分の曲率半径Ｒ1 、Ｒ2 が、ともに１０〜２０ｍｍに設定されていることを特徴とするアイラッシュカーラー。
【請求項２】
上記ガイドフレームの上縁部のうち、ガイドフレーム湾曲前の幅Ｓの全長の１／３〜３／４にわたる中央部分Ｑが、曲率半径Ｒ3 が１０〜１５ｍｍの円弧状となるよう上方に突出形成されている請求項１記載のアイラッシュカーラー。
【発明の詳細な説明】
【技術分野】
【０００１】
本発明は、まつげにカールを与えるために用いられるアイラッシュカーラーに関するものである。
【背景技術】
【０００２】
従来から、まつげにカールを与えるアイラッシュカーラー（ビューローともいう）としては、例えば図８に示すような構成のものがよく知られている。このものは、左右一対の支柱１、２と、この左右の支柱１、２の上部にまたがって固定されるガイドフレーム３と、上記ガイドフレーム３の固定部より下側に、支柱１、２に沿って昇降自在に取り付けられる可動フレーム４とを備えている。また、上記支柱１、２の下部を延長し、指で操作できるよう輪が形成された第１のハンドル５と、同じく指で操作できるよう輪が形成され、上記第１のハンドル５に交差して取り付けられる第２のハンドル６と、上記第２のハンドル６と可動フレーム４を連結するＶ字状のレバー７が設けられている。そして、上記可動フレーム４の、まつげを挟む部分には、弾性ゴム部材８が取り付けられている。
【０００３】
したがって、上記第１のハンドル５と第２のハンドル６に指をかけて、はさみのように操作すれば、簡単に可動フレーム４を昇降させてガイドフレーム３との間を開閉することができ、ガイドフレーム３と可動フレーム４の間にまつげを挟んだ状態で、可動フレーム４をガイドフレーム３側に強く押し当てることにより、可動フレーム４の弾性ゴム部材８に、ガイドフレーム３の下端縁をぐっと食い込ませて、まつげにカールをつけることができるようになっている。
【０００４】
しかしながら、従来のアイラッシュカーラーでは、ガイドフレーム３や可動フレーム４の湾曲形状が、目元形状に沿わず、また、「大は小を兼ねる」の発想から、人の目の標準的な幅寸法より大きめの幅で作製されているため、図９に示すように、弾性ゴム部材８とガイドフレーム３の下端縁３ａとがかみ合ってまつげにカールを与えるラインが、目頭や目尻に近い部分では、まつげから外れて有効に作用しない、という問題を有する。
【０００５】
そこで、可動フレーム４の左右両端部をできるだけ支柱１、２から遠ざけて、可動フレーム４の左右両端部のぎりぎりまで目元に接近させることができるよう配慮したもの（特許文献１参照）や、幅の狭い圧接部材を複数種類用意し、まつげの位置に応じて交換して用いるようにしたもの（特許文献２参照）等が提案されている。
【特許文献１】特許第３１４３４１０号公報
【特許文献２】特開２００４−２２９７２２公報
【発明の開示】
【発明が解決しようとする課題】
【０００６】
しかしながら、上記特許文献１のものは、構成が複雑であるにもかかわらず、目元の両端部までカールを与える効果が充分とはいえず、さらなる改良が求められている。また、上記特許文献２のものは、まつげの位置に応じて圧接部材を交換するのに手間がかかり、使い勝手が悪いという問題がある。
【０００７】
本発明は、このような事情に鑑みなされたもので、簡単な構成で、目元の両端部までくっきりとカールを与えることができる、使い勝手のよいアイラッシュカーラーの提供をその目的とする。
【課題を解決するための手段】
【０００８】
上記の目的を達成するため、本発明は、左右一対の支柱と、この左右の支柱の上部にまたがって固定されるガイドフレームと、上記支柱の、ガイドフレーム固定部より下側に、支柱に沿って昇降自在に取り付けられる可動フレームと、上記可動フレームを昇降させるための操作手段とを備え、上記ガイドフレームおよび可動フレームは、ともに平面視が円弧状となるよう湾曲されており、上記ガイドフレームと可動フレームとの間にまつげを挟んだ状態で可動フレームを上昇させガイドフレーム側に押し当てることにより、まつげにカールを与えるよう構成されたアイラッシュカーラーにおいて、上記左右の支柱の、ガイドフレームおよび可動フレームが取り付けられた部分の間隔Ｗが、１５〜２５ｍｍに設定されているとともに、上記ガイドフレームおよび可動フレームの平面視円弧状部分の曲率半径Ｒ1 、Ｒ2 が、ともに１０〜２０ｍｍに設定されているアイラッシュカーラーを第１の要旨とする。
【０００９】
また、本発明は、そのなかでも、特に、上記ガイドフレームの上縁部のうち、ガイドフレーム湾曲前の幅Ｓの全長の１／３〜３／４にわたる中央部分Ｑが、曲率半径Ｒ3 が１０〜１５ｍｍの円弧状となるよう上方に突出形成されているアイラッシュカーラーを第２の要旨とする。
【発明の効果】
【００１０】
すなわち、本発明のアイラッシュカーラーは、上記左右の支柱の、ガイドフレームおよび可動フレームが取り付けられた部分の間隔Ｗが１５〜２５ｍｍと、従来品（通常、３２〜４０ｍｍ）に比べて狭くなっているため、１回でまつげをカールできない分、目の大きさや形状に左右されることなく数回に分けて、確実にカールすることができる。そして、上記ガイドフレームおよび可動フレームの平面視円弧状部分の曲率半径Ｒ1 、Ｒ2 が、ともに特定の範囲に設定されているため、ガイドフレームの円弧状に曲成された上縁部で、まぶたを押すことによって、ガイドフレームと可動フレームの間にまつげが押し出されて、しっかりとカールすることができる。
【００１１】
また、本発明のなかでも、特に、上記ガイドフレームの上縁部のうち、ガイドフレーム湾曲前の幅Ｓの全長の１／３〜３／４にわたる中央部分Ｑが、曲率半径Ｒ3 が１０〜１５ｍｍの円弧状となるよう上方に突出形成されているものは、上記突出部でまぶたを押し上げてまつげの付け根の皮膚を引き上げる効果が特に優れており、より印象的なカール付けを行うことができる。
【発明を実施するための最良の形態】
【００１２】
つぎに、本発明を実施するための最良の形態について説明する。ただし、本発明は、この実施の形態に限られるものではない。
【００１３】
図１（ａ）は、本発明を実施するための最良の形態であるアイラッシュカーラーの正面図であり、同図（ｂ）は、その右側面図である。これらの図において、１０、１１は、互いに平行に延びる左右一対の支柱で、その間隔（支柱１０と支柱１１の間の間隔）Ｗが、２３ｍｍに設定されている。そして、この左右の支柱１０と支柱１１の上部にまたがって、横長のガイドフレーム１２が一体的に固定されており、その下側に、支柱１０、１１に沿って昇降自在に可動フレーム１３が取り付けられている。なお、上記左右の支柱１０、１１は、一本のスチール製線材（直径２．５ｍｍ）を曲成することにより、以下に述べる支柱延長部１０ａ、１１ａおよび第１のハンドル１５とともに、一体的に形成したものである。
【００１４】
すなわち、上記支柱１０、１１の下部は、段階的に互いの幅が狭くなるよう屈曲されて最終的に左右に並ぶよう構成された支柱延長部１０ａ、１１ａに連なっており、さらに、その下部が、指をかけて操作するための輪１４を有する第１のハンドル１５に連なっている。
【００１５】
そして、上記支柱延長部１０ａ、１１ａと第１のハンドル１５との連なり部に、上記第１のハンドル１５と同様、一本のスチール製線材（直径２．５ｍｍ）からなり、指をかけて操作するための輪１６を有する第２のハンドル１７が、第１のハンドル１５に対して交差する配置で、ピン１８を介して回動自在に取り付けられている。
【００１６】
なお、上記第１のハンドル１５と、第２のハンドル１７の交差部は、その部分におけるそれぞれの厚みが略１／２となるよう平たく押し潰されており、互いに、相手の押し潰された平面に沿って滑らかに回動するようになっている。
【００１７】
また、上記第２のハンドル１７の上端部１９も、その厚みが略１／２となるよう平たく押し潰されており、その部分に設けられた穴２０に、一本のスチール製線材（直径１．２ｍｍ）をＶ字状に曲成してなるレバー２１が挿通されている。そして、上記レバー２１の先端は、前記可動フレーム１３の下面に取り付けられており、図２に示すように、上記第１のハンドル１５および第２のハンドル１７の各輪１４、１６に指をかけて両者の間隔を開くと、上記レバー２１とともに可動フレーム１３が下に下がり、ガイドフレーム１２との間に、大きく隙間があくようになっている。
【００１８】
上記可動フレーム１３をより詳しく説明すると、このものは、図２のＡ−Ａ′断面図である図３（ａ）と、そのＢ−Ｂ′断面図である図３（ｂ）に示すように、長手方向に延びる両縁部にガイド壁２２、２３が設けられた細長いスチール枠１３ａと、上記ガイド壁２２、２３の間にその一部を嵌入させた状態で取り付けられる細長い弾性ゴム部材１３ｂとを有し、全体の平面視形状が円弧状となるよう湾曲している。なお、上記湾曲による円弧状の曲率半径Ｒ1 （湾曲したゴム弾性部材１３ｂの中心線Ｘの曲率半径を指す）は、１８ｍｍに設定されている。また、上記弾性ゴム部材１３ｂの硬さ（ゴム硬度、以下同じ）は６０度で、その前後の幅は３ｍｍである。
【００１９】
そして、上記スチール枠１３ａの左右両端（図３では上下方向の両端）には、左右一対のガイドリング２４、２５が延設され、その各リング内に、前記支柱１０、１１が挿通されており、可動フレーム１３全体が、支柱１０、１１に沿って昇降するようになっている。
【００２０】
また、その上のガイドフレーム１２（図１に戻る）は、すでに述べたように、２本の支柱１０、１１の上部にまたがって固定されており、上記可動フレーム１３と同様、その平面視形状が円弧状となるよう湾曲している。そして、その湾曲による円弧状の曲率半径Ｒ2 （図示せず）は、可動フレーム１３の曲率半径Ｒ1 と同一に設定されている。したがって、上記ガイドフレーム１２と可動フレーム１３との間が、図１に示すように閉じた状態では、可動フレーム１３の湾曲した中心線Ｘ（図３参照）と、上記ガイドフレーム１２の下端縁とが重なるようになっている。
【００２１】
なお、上記ガイドフレーム１２は、その湾曲前の平面形状が、図４に示すようになっており、その上縁部のうち、上縁部全長の１／２の中央部分（図においてＱで示す）が、上方に向かって円弧状に突出形成されており、その円弧状の曲率半径（Ｒ3 ）が１３．５ｍｍに設定されている。そして、上記突出部分の両側が、それぞれ曲率半径（Ｒ4 ）１１ｍｍの逆向き円弧状に形成されて、なだらかな曲線でつながれている。なお、上記中央部分の突出高さＨ1 は、左右端部の上縁部の位置を基準として５．５ｍｍに設定されている。
【００２２】
また、上記ガイドフレーム１２の下縁部も、わずかに円弧状に切り欠かれており、その切切り欠き部の高さＨ2 は、左右端部の下端を基準として１．０ｍｍに設定されている。これは、ガイドフレーム１２を円弧状に湾曲させた状態で、斜めに傾斜した支柱１０、１１に取り付けることを考慮したものである（図１〔ｂ〕参照）。
【００２３】
さらに、上記ガイドフレーム１２の、湾曲前の幅Ｓは、所望の曲率半径Ｒ2 に湾曲させた状態で、支柱１０、１１にまたがって取り付けることができるような寸法に設定されるのであり、この例では、上記幅Ｓは、３１ｍｍに設定されている。
【００２４】
そして、上記ガイドフレーム１２は、支柱１０、１１に取り付けられた状態で、左右両端部から中央にいくほど、その上部が後方に反った形状になっており、その中央部分の反りにおける曲率半径（図２においてＲ5 で示す）は２１．５ｍｍに設定されている。
【００２５】
上記構成のアイラッシュカーラーによれば、図２に示すように、第１のハンドル１５と第２のハンドル１７に指をかけて、はさみのようにこれを開くと、可動フレーム１３が、図２において太矢印で示すように下に下がり、可動フレーム１３とガイドフレーム１２の間が大きく開く。そこで、上記ガイドフレーム１２の上縁突出部をまぶたに当て、まぶたの皮膚を上に持ち上げながら、上記可動フレーム１３とガイドフレーム１２の隙間にまつげを入れ、その状態で、再び第１のハンドル１５と第２のハンドル１７を閉じて可動フレーム１３をガイドフレーム１２側に強く押し当てることにより、可動フレーム１３のゴム弾性部材１３ｂに、ガイドフレーム１２の下端縁をぐっと食い込ませて、まつげにカールをつけることができる。
【００２６】
このとき、上記アイラッシュカーラーの可動フレーム１３とガイドフレーム１２が、特定の曲率半径Ｒ1 、Ｒ2 に設定されているため、図５に示すように、まつげが並んだ列に対し、可動フレーム１３の弾性ゴム部材１３ｂとガイドフレーム１２の下端縁とが、これを確実に挟んで押し付けることができるようになっており、優れたカール付与効果を奏することができる。
【００２７】
しかも、上記ガイドフレーム１２の上縁部が、特殊な突出形状を有しており、まぶたを持ち上げてまつげを斜め上向きに押し出した状態で、カール付与動作を行うことができるため、よりくっきりとカールをつけることができる。
【００２８】
なお、上記の例において、左右２本の支柱１０、１１の間隔Ｗは、上記の例に限るものではないが、１５〜２５ｍｍの範囲内に設定する必要がある。すなわち、幅Ｗが１５ｍｍ未満では、幅が狭すぎてカール付けの作業が煩雑となる。また、カール付けを何回も繰り返しすぎると、全体が美麗に仕上がらない。一方、幅Ｗが２５ｍｍを超えると、両端部が目の両端部に接近するため、これを逃れるために、まつげの根元側をぐっと押さえることができず、くっきりとカール付けを行うことができない。これに対し、本発明のアイラッシュカーラーを用いると、これを左右にずらして２〜３回のカール付けで、まつげ全体に美麗なカールを付与することができる。また、まつげの根元側、先端側、と、まつげを挟む位置を前後にずらしてカールを付与することにより、まつげをより大きくカールさせることもできる。
【００２９】
また、上記の例において、可動フレーム１３とガイドフレーム１２の曲率半径Ｒ1 、Ｒ2 は、まつげの配列を考慮して設定されるもので、上記の例に限るものではないが、本発明では、効果の点から、どちらも、１０〜２０ｍｍに設定することが必要である。曲率半径Ｒ1 、Ｒ2 が上記範囲を外れると、まつげの配列に沿わず、美麗な仕上がりを得ることができない。
【００３０】
なお、可動フレーム１３の曲率半径Ｒ1 と、ガイドフレーム１２の曲率半径Ｒ2 とは、必ずしも同じ値でなくてもよいが、可動フレーム１３の上面に設けられる弾性ゴム部材１３ｂと、ガイドフレーム１２の下端縁とが噛み合うことが前提である。
【００３１】
また、上記ガイドフレーム１２の、湾曲前の幅Ｓは、上記の例に限るものではないが、その実施態様に応じて、２８〜３４ｍｍの範囲内に設定することが好ましい。
【００３２】
さらに、上記の例では、ガイドフレーム１２の上縁部のうち、特定部分を上方に円弧状に突出形成しているが、これは、必ずしも必要ではない。ただし、まぶたを押し上げて、よりくっきりとまつげにカールを付与するためには、上記の例のように設定することが好適である。そして、上記円弧状に突出させる範囲は、ガイドフレーム１２の上縁部のうち、ガイドフレーム湾曲前の幅Ｓの全長の１／３〜３／４となる範囲に設定することが好適である。また、その円弧状突出部分の曲率半径Ｒ3 は、１０〜１５ｍｍに設定することが好適である。
【００３３】
ちなみに、上記ガイドフレーム１２に代えて、図６に示すような、上縁部の中央部分が上方に円弧状に突出しない、なだらかな曲線のガイドフレーム１２′を用いるようにしても差し支えない。このガイドフレーム１２′を用いたアイラッシュカーラーの全体を、図７（ａ）および（ｂ）に示す。ガイドフレーム１２′の形状以外は、図１に示す例と同様であり、同一部分に同一番号を付して、その説明を省略する。
【００３４】
さらに、これらの例において、ガイドフレーム１２、１２′は、左右両端部から中央にいくほど、その上部が後方に反った形状になっているが、これは、この部分をまぶたに当てて押し上げる際、まぶたに違和感なく押し付けることができるよう考慮したもので、その中央部分の反りにおける曲率半径Ｒ5 は、上記の例に限らず、１８〜２５ｍｍに設定することが好適である。
【００３５】
なお、本発明において、可動フレーム１３における弾性ゴム部材１３ｂの硬さは、３０〜７０度に設定するのが好適であり、その材質は、シリコンゴム、アクリロニトリル−ブタジエンゴム（ＮＢＲ）等が好適である。また、弾性ゴム部材１３ｂの前後の幅は、２．５〜４．０ｍｍに設定することが、ガイドフレーム１２との噛み合わせによるカール付与効果の点で、好適である。
【００３６】
また、本発明において、第１のハンドル、第２のハンドルによる可動フレーム１３の昇降動作を与える機構は、特に限定するものではなく、適宜の機構を用いることができる。
【図面の簡単な説明】
【００３７】
【図１】（ａ）は本発明の一実施例の正面図、（ｂ）はその右側面図である。
【図２】上記実施例の動作説明図である。
【図３】（ａ）は図２のＡ−Ａ′断面図、（ｂ）はそのＢ−Ｂ′断面図である。
【図４】上記実施例に用いられるガイドフレームの、円弧状に曲成する前の状態を示す説明図である。
【図５】上記実施例の効果の説明図である。
【図６】本発明の他の実施例に用いられるガイドフレームの、円弧状に曲成する前の状態を示す説明図である。
【図７】（ａ）は上記他の実施例の正面図、（ｂ）はその右側面図である。
【図８】従来のアイラッシュカーラーの一例を示す説明図である。
【図９】上記従来品の問題点の説明図である。
【符号の説明】
【００３８】
１０、１１  支柱
１２  ガイドフレーム
１３  可動フレーム
１５  第１のハンドル
１７  第２のハンドル
２０  レバー
【図１】
2008206827.tif 000003
【図２】
2008206827.tif 000004
【図３】
2008206827.tif 000005
【図４】
2008206827.tif 000006
【図５】
2008206827.tif 000007
【図６】
2008206827.tif 000008
【図７】
2008206827.tif 000009
【図８】
2008206827.tif 000010
【図９】
2008206827.tif 000011